(57)【要約】【課題】キャップ部が接続用端子の締結部を覆わない待避状態に確実に保持可能な保護カバーおよびワイヤーハーネスを提供する。【解決手段】電線１の端部を周方向に取り囲む電線被覆部３と、電線被覆部３に連なって接続用端子２の接続部２ａを周方向に取り囲む弾性結合部４と、弾性結合部４に連なって接続用端子２の締結部２ｂを覆い得るキャップ部５とを備え、弾性結合部４は、略筒状に延びるとともに、接続用端子２の締結部２ｂにキャップ部５が覆い被さる被覆状態と、電線被覆部３側へ向けて捲り上げられるとともに、接続用端子２の締結部２ｂにキャップ部５が覆い被さらない待避状態とになり得るよう構成され、弾性結合部４に薄肉部４ａを、弾性結合部４が電線被覆部３側へ向けて捲り上げられるときに折り返し部分となるよう設けている。【選択図】図３
2015032524.tif 000002
【特許請求の範囲】
【請求項１】
電線の端部に接続される接続部および導電部品に締結される締結部を有する接続用端子を覆う端子保護カバーであって、
前記電線の端部を周方向に取り囲む電線被覆部と、
前記電線被覆部に連なって前記接続用端子の接続部を周方向に取り囲む弾性結合部と、
前記弾性結合部に連なって前記接続用端子の前記締結部を覆い被さり得るキャップ部とを備え、
前記弾性結合部は、略筒状に延びるとともに、前記接続用端子の前記締結部に前記キャップ部が覆い被さる被覆状態と、前記電線被覆部側へ向けて捲り上げられるとともに、前記接続用端子の前記締結部に前記キャップ部が覆い被さらない待避状態とになり得るよう構成され、
前記弾性結合部に薄肉部を、前記弾性結合部が前記電線被覆部側へ向けて捲り上げられるときに折り返し部分となるよう設けたことを特徴とする端子保護カバー。
【請求項２】
前記薄肉部は、前記弾性結合部の内側部に設けた周方向に連続的にまたは断続的に延びる窪みによって形成されることを特徴とする請求項１に記載の端子保護カバー。
【請求項３】
前記弾性結合部の外側部に、周方向に連続的にまたは断続的に延びる溝を、前記窪みに対応するよう設けたことを特徴とする請求項２に記載の端子保護カバー。
【請求項４】
前記電線被覆部、前記弾性結合部および前記キャップ部の外側面部にシボ加工を施したことを特徴とする請求項１ないし請求項３のいずれか１項に記載の端子保護カバー。
【請求項５】
電線と、
前記電線の端部に接続される接続部および導電部品に締結される締結部を有する接続用端子と、
前記電線被覆部、前記弾性結合部および前記キャップ部を含んで構成される請求項１ないし請求項４に記載の端子保護カバーとを備えたことを特徴とするワイヤーハーネス。
【発明の詳細な説明】
【技術分野】
【０００１】
本発明は、端子保護カバーおよびワイヤーハーネスに関する。
【背景技術】
【０００２】
従来、接続用端子に塵埃等が付着しないように保護するための端子保護カバーとして、筒状部およびキャップ部を備えたものが知られている（例えば、特許文献１参照）。端子保護カバーは、接続用端子は、電線の端部に接続した接続部と、接続部に連なって導電部品にボルト締結される締結部とを含んで構成されている。
【０００３】
端子保護カバーの筒状部は、電線の端部および接続用端子の接続部を周方向に取り囲むようになっている。端子保護カバーのキャップ部は、筒状部に連なり、接続用端子の締結部および導電部品に上方から覆い被さるようになっている。筒状部およびキャップ部は、ゴム系材料等の電気的絶縁性を有する材料により弾性変形し得るよう形成されている。
【０００４】
また、端子保護カバーと電線は、例えば、筒状部の外側面部および電線の外側面部に巻いた粘着テープを介して固定され、電線、接続用端子、端子保護カバーおよび粘着テープによってワイヤーハーネスを構成している。このワイヤーハーネスの端子保護カバーは、通常、接続用端子の締結部にキャップ部が覆い被さる被覆状態になっている。
【０００５】
ワイヤーハーネスを納入するのに際しては、端子保護カバーのキャップ部を筒状部に対して捲り上げ、接続用端子の締結部にキャップ部が覆い被さらない待避状態にしている。このように、端子保護カバーを待避状態にすると、締結部の上方に、締結部を導電部品にボルト締結するための作業スペースが確保されることになる。
【先行技術文献】
【特許文献】
【０００６】
【特許文献１】特開２０００−２１５９２６号公報
【発明の概要】
【発明が解決しようとする課題】
【０００７】
しかしながら、上述したワイヤーハーネスの端子保護カバーは、待避状態にしても、端子保護カバーを形成している材料の復元力によって、端子保護カバーが待避状態に保持されずに被覆状態に戻ってしまうことがある。
【０００８】
このように、端子保護カバーが被覆状態に戻ってしまうと、接続用端子の締結部を導電部品にボルト締結するための作業スペースが確保されなくなる。このため、ワイヤーハーネスの納入先において、端子保護カバーを待避状態にする必要が生じ、接続用端子の締結部を導電部品にボルト締結する作業の工数が嵩んでしまうという問題があった。
【０００９】
そこで、本発明は、上述した課題を解決するためになされたものであり、キャップ部が接続用端子の締結部を覆わない待避状態に確実に保持可能な端子保護カバーおよびワイヤーハーネスを提供することを目的としている。
【課題を解決するための手段】
【００１０】
本発明に係る端子保護カバーは、上記目的を達成するため、電線の端部に接続される接続部および導電部品に締結される締結部を有する接続用端子を覆う端子保護カバーであって、前記電線の端部を周方向に取り囲む電線被覆部と、前記電線被覆部に連なって前記接続用端子の接続部を周方向に取り囲む弾性結合部と、前記弾性結合部に連なって前記接続用端子の前記締結部を覆い被さり得るキャップ部とを備え、前記弾性結合部は、略筒状に延びるとともに、前記接続用端子の前記締結部に前記キャップ部が覆い被さる被覆状態と、前記電線被覆部側へ向けて捲り上げられるとともに、前記接続用端子の前記締結部に前記キャップ部が覆い被さらない待避状態とになり得るよう構成され、前記弾性結合部に薄肉部を、前記弾性結合部が前記電線被覆部側へ向けて捲り上げられるときに折り返し部分となるよう設けた構成としている。
【００１１】
この構成により、本発明に係る端子保護カバーは、待避状態にする際に、弾性結合部が薄肉部を折り返し部分として電線被覆部側へ向けて捲り上げられる。薄肉部は、薄肉部でない他の部分に比べて復原力が小さい。このため、本発明に係る端子保護カバーは、端子保護カバーを形成している材料の復元力によって弾性結合部が被覆状態に戻ってしまうことがなく、接続用端子の締結部にキャップ部が覆い被さらない待避状態に弾性結合部を確実に保持することができる。
【００１２】
上述した構成の端子保護カバーにおいて、前記薄肉部は、前記弾性結合部の内側部に設けた周方向に連続的にまたは断続的に延びる窪みによって形成される構成としてもよい。
【００１３】
この構成により、本発明に係る端子保護カバーは、待避状態とする際に、窪みを折り返し部分として弾性結合部が電線被覆部側へ向けて捲り上げられる。薄肉部は、薄肉部でない他の部分に比べて復原力が小さい。このため、本発明に係る端子保護カバーは、端子保護カバーを形成している材料の復元力によって弾性結合部が被覆状態に戻ってしまうことがなく、接続用端子の締結部にキャップ部が覆い被さらない待避状態に弾性結合部を確実に保持することができる。
【００１４】
また、上述した構成の端子保護カバーにおいて、前記弾性結合部の外側部に、周方向に連続的にまたは断続的に延びる溝を、前記窪みに対応するよう設けた構成としてもよい。
【００１５】
この構成により、本発明に係る端子保護カバーは、待避状態にする際に、溝により弾性結合部の窪みの位置を確認できる。このため、本発明に係る端子保護カバーは、弾性結合部を電線被覆部側に向けて適切な位置まで捲り上げることができ、接続用端子の締結部にキャップ部が覆い被さらない待避状態に弾性結合部を確実に保持することができる。
【００１６】
さらに、上述した構成の端子保護カバーにおいて、前記電線被覆部、前記弾性結合部および前記キャップ部の外側面部にシボ加工を施した構成としてもよい。
【００１７】
この構成により、本発明に係る端子保護カバーは、弾性結合部を電線被覆部側へ向けて捲り上げて、接続用端子の締結部にキャップ部が覆い被さらない待避状態にした際に、電線被覆部、弾性結合部およびキャップ部が互いに密着し難くなる。このため、本発明に係る端子保護カバーは、弾性結合部を待避状態から被覆状態に容易に戻すことができる。
【００１８】
本発明に係るワイヤーハーネスは、上記目的を達成するため、電線と、前記電線の端部に接続される接続部および導電部品に締結される締結部を有する接続用端子と、前記電線被覆部、前記弾性結合部および前記キャップ部を含んで構成される上述した端子保護カバーとを備えた構成としている。
【００１９】
この構成により、本発明に係るワイヤーハーネスは、弾性結合部を待避状態にする際に、弾性結合部が薄肉部を折り返し部分として電線被覆部側へ向けて捲り上げられる。薄肉部は、薄肉部でない他の部分に比べて復原力が小さい。このため、本発明に係るワイヤーハーネスは、端子保護カバーを形成している材料の復元力によって弾性結合部が被覆状態に戻ってしまうことがなく、接続用端子の締結部にキャップ部が覆い被さらない待避状態に弾性結合部を確実に保持することができる。
【発明の効果】
【００２０】
本発明によれば、キャップ部が接続用端子の締結部を覆わない待避状態に確実に保持可能な端子保護カバーおよびワイヤーハーネスを提供することができる。
【図面の簡単な説明】
【００２１】
【図１】本発明の実施の形態に係る端子保護カバーの模式図であり、被覆状態に相当する側面図である。
【図２】本発明の実施の形態に係る端子保護カバーの模式図であり、被覆状態に相当する縦断面図である。
【図３】本発明の実施の形態に係る端子保護カバーを用いたワイヤーハーネスの模式図であり、キャップ部が接続用端子の締結部を覆う被覆状態を示す縦断面図である。
【図４】本発明の実施の形態に係る端子保護カバーを用いたワイヤーハーネスの模式図であり、キャップ部が接続用端子の締結部を覆わない待避状態を示す縦断面図である。
【図５】本発明の実施の形態に係る端子保護カバーの模式図であり、被覆状態に相当する部分拡大縦断面図である。
【図６】本発明の実施の形態に係る端子保護カバーを用いたワイヤーハーネスの模式図であり、接続用端子の締結部が導電部品にされ、かつキャップ部が接続用端子の締結部を覆わない待避状態を示す縦断面図である。
【図７】本発明の実施の形態に係る端子保護カバーを用いたワイヤーハーネスの模式図であり、接続用端子の締結部が導電部品にされ、かつキャップ部が接続用端子の締結部を覆う被覆状態を示す縦断面図である。
【発明を実施するための形態】
【００２２】
以下、本発明の実施の形態に係る端子保護カバーおよびワイヤーハーネスについて、図面を参照して説明する。
【００２３】
図１ないし図７に示すように、本実施の形態に係る端子保護カバーＣは、電線１の端部に設けた接続用端子２を覆うものであり、電線被覆部３、弾性結合部４およびキャップ部５を含んで構成されている。本実施の形態に係るワイヤーハーネスＷは、電線１、接続用端子２、および端子保護カバーＣを含んで構成されている。
【００２４】
接続用端子２は、電線１の端部に接続される接続部２ａと、接続部２ａに連なり、かつ導電部品６に締結される締結部２ｂとを有している。接続部２ａおよび締結部２ｂは、金属板をプレス加工によって一体に形成されている。また、締結部２ｂは、部材厚み方向に貫通するボルト孔２ｃを有している。
【００２５】
導電部品６は、上方に向けて突出するスタッドボルト６ａを有している。このスタッドボルト６ａは、締結部２ｂのボルト孔２ｃに嵌るとともに、ナット６ｂが螺合するようになっている。
【００２６】
電線被覆部３は、電線１の端部を周方向に取り囲むとともに、内側面部が電線１の外側面部に密着するよう形成されている。
【００２７】
弾性結合部４は、電線被覆部３に連なり、かつ接続用端子２の接続部２ａを周方向に取り囲むよう形成されている。弾性結合部４の内側面部と接続用端子２との間には、十分な空間が確保されている。
【００２８】
キャップ部５は、弾性結合部４に連なり、かつ接続用端子２の締結部２ｂに上方から覆い被さり得るよう形成されている。また、キャップ部５は、接続用端子２の締結部２ｂを、ボルト孔２ｃの径方向外側から取り囲み得るよう形成されている。
【００２９】
電線被覆部３、弾性結合部４およびキャップ部５は、ゴム系材料等の電気的絶縁性を有する材料により弾性変形し得るよう一体に形成されている。
【００３０】
特に、弾性結合部４は、図３に示すように、略筒状に延びたときに、接続用端子２の締結部２ｂにキャップ部５が覆い被さる被覆状態になり得るよう構成されている。また、弾性結合部４は、図４に示すように、電線被覆部３側へ向けて折り重なった状態に捲り上げられたときに、接続用端子２の締結部２ｂにキャップ部５が覆い被さらない待避状態になり得るよう構成されている。
【００３１】
さらに、端子保護カバーＣは、弾性結合部４に薄肉部４ａを、図４に示すように、弾性結合部４が電線被覆部３側へ向けて捲り上げられるときに折り返し部分となるよう設けている。薄肉部４ａは、図２および図５に示すように、弾性結合部４の内側部に設けた周方向に断続的に延びる窪みによって形成されている。薄肉部４ａを形成する窪みは、弾性結合部４の内側部に周方向に連続的に延びるよう形成してもよい。
【００３２】
弾性結合部４の内側部に薄肉部４ａを形成するための窪みを周方向に断続的に延びるよう形成すると、弾性結合部４の周方向に隣接する窪みの間が、薄肉部４ａに比べて厚みが大きい補強部４ｂとなる。
【００３３】
端子保護カバーＣは、弾性結合部４の外側部に、図１および図５に示すように、周方向に連続的に延びる溝４ｃを、薄肉部４ａとして窪みに対応するよう設けている。この溝４ｃは、弾性結合部４の外側部の周方向に対して断続的に連続的に延びるようにしてもよい。
【００３４】
また、端子保護カバーＣは、電線被覆部３、弾性結合部４およびキャップ部５の外側面部にシボ加工（表層部を微細な凹凸形状にする加工）を施している。シボ加工は、キャップ部５を捲り上げてキャップ部５の外面と電線被覆部３の外面とが密着した状態で、キャップ部５の捲り上げの折り返し位置を微調整する場合に、密着面同士の滑り性を確保するために設ける。すなわち、シボ加工を施すことで、密着面同士間に空気層が形成され、密着面同士の滑り性を確保することができる。
【００３５】
電線１、接続用端子２、および端子保護カバーＣによってワイヤーハーネスＷを構成するときには、端子保護カバーＣの電線被覆部３から弾性結合部４に向けて電線１を挿通し、電線１の端部を、一旦、端子保護カバーＣの外部へ引き出す。
【００３６】
次いで、電線１の端部に接続用端子２の接続部２ａを接続したうえ、接続部２ａが弾性結合部４に収容されるとともに、締結部２ｂがキャップ部５に収納されるよう、端子保護カバーＣから電線１を引き戻す。さらに、電線被覆部３の外側面部および電線１の外側面部に粘着テープ７を巻き付けて、端子保護カバーＣと電線１とを固定し、ワイヤーハーネスＷを構成する。
【００３７】
よって、ワイヤーハーネスＷは、図３に示すように、弾性結合部４が略筒状に延びるとともに、接続用端子２の締結部２ｂにキャップ部５が覆い被さった被覆状態になる。
【００３８】
ワイヤーハーネスＷを納入するのに際しては、図４に示すように、弾性結合部４を電線被覆部３側へ向けて折り重なった状態に捲り上げて、端子保護カバーＣを接続用端子２の締結部２ｂにキャップ部５が覆い被さらない待避状態にする。
【００３９】
端子保護カバーＣは、待避状態にする際に、弾性結合部４が薄肉部４ａである窪みを折り返し部分として電線被覆部３側へ向けて捲り上げられる。薄肉部４ａは、薄肉部４ａでない部分に比べて復原力が小さい。
【００４０】
このため、端子保護カバーＣは、端子保護カバーＣを形成している材料の復元力によって弾性結合部４が被覆状態に戻ってしまうことがなく、接続用端子２の締結部２ｂにキャップ部５が覆い被さらない待避状態に弾性結合部４を確実に保持することができる。
【００４１】
端子保護カバーＣは、弾性結合部４の内側部に薄肉部４ａとしての窪みを周方向に断続的に延びるよう形成して、弾性結合部４の周方向に隣接する窪みの間を、薄肉部４ａに比べて厚みが大きい補強部４ｂとしている。このため、弾性結合部４は、薄肉部４ａを境界として電線被覆部３側に位置する部分とキャップ部５側に位置する部分とが破断し難くなる。
【００４２】
端子保護カバーＣは、弾性結合部４の外側部に、周方向に連続的にまたは断続的に延びる溝４ｃを、薄肉部４ａとしての窪みに対応するよう設けている。このため、端子保護カバーＣは、待避状態にする際に、溝４ｃにより弾性結合部４の薄肉部４ａの位置を確認できる。
【００４３】
よって、端子保護カバーＣは、弾性結合部４を電線被覆部３側に向けて適切な位置まで捲り上げることができ、接続用端子２の締結部２ｂにキャップ部５が覆い被さらない待避状態に弾性結合部４を確実に保持することができる。つまり、ワイヤーハーネスＷの納入先において、端子保護カバーＣの弾性結合部４を待避状態にする必要がなくなる。
【００４４】
ワイヤーハーネスＷを導電部品６に取り付けるときには、図６に示すように、端子保護カバーＣの弾性結合部４を待避状態としたままで、締結部２ｂのボルト孔２ｃにスタッドボルト６ａが嵌まり込むよう、導電部品６に接続用端子２に載置する。
【００４５】
端子保護カバーＣは、弾性結合部４が待避状態であるので、締結部２ｂの上方に、締結部２ｂを導電部品６にボルト締結するための作業スペースが確保されることになる。さらに、スタッドボルト６ａにナット６ｂを螺合するとともに締め付けて、締結部２ｂを導電部品６にボルト締結する。よって、ワイヤーハーネスＷは、接続用端子２の締結部２ｂを導電部品６にボルト締結する作業の工数が嵩んでしまうことがない。
【００４６】
この後、図７に示すように、弾性結合部４を略筒状に延ばして端子保護カバーＣを被覆状態にする。端子保護カバーＣは、電線被覆部３、弾性結合部４およびキャップ部５の外側面部にシボ加工を施している。
【００４７】
このため、端子保護カバーＣは、弾性結合部４を電線被覆部３側へ向けて捲り上げて待避状態にした際に、電線被覆部３、弾性結合部４およびキャップ部５が互いに密着し難くなる。よって、端子保護カバーＣは、弾性結合部４を待避状態から被覆状態に容易に戻すことができる。
【００４８】
以上のように、本発明に係る端子保護カバーおよびワイヤーハーネスは、端子保護カバーを形成している材料の復元力によって弾性結合部が被覆状態に戻ってしまうことがない。よって、本発明に係る端子保護カバーおよびワイヤーハーネスは、接続用端子の締結部にキャップ部が覆い被さらない待避状態に弾性結合部を確実に保持することができるという効果を奏するものである。
【産業上の利用可能性】
【００４９】
本発明に係る端子保護カバーおよびワイヤーハーネスは、接続用端子の締結部にキャップ部が覆い被さらない待避状態に弾性結合部を確実に保持することができるので、車両、種々の装置、機械設備等に利用できる。
【符号の説明】
【００５０】
１  電線
２  接続用端子
２ａ  接続部
２ｂ  締結部
３  電線被覆部
４  弾性結合部
４ａ  薄肉部
４ｃ  溝
５  キャップ部
Ｃ  端子保護カバー
Ｗ  ワイヤーハーネス
【図１】
2015032524.tif 000003
【図２】
2015032524.tif 000004
【図３】
2015032524.tif 000005
【図４】
2015032524.tif 000006
【図５】
2015032524.tif 000007
【図６】
2015032524.tif 000008
【図７】
2015032524.tif 000009